(57)【要約】【課題】記憶媒体への書込みに関する設定を行う際に、どのような電源が接続されていても、ユーザがカードデータ消失の危険を回避することができる情報処理装置を提供することを目的とする。【解決手段】書込みが可能な記憶媒体に接続する接続手段と、上記記憶媒体にデータを書込むデータ書込み手段と、上記記憶媒体へデータを書込むことを禁止する禁止モード、または記憶媒体へデータを書込むことを許可する許可モードを設定するモード設定手段と、電源としてバッテリと外部電源とに対応可能な電源手段と、上記バッテリ、上記外部電源のうちの少なくとも１つとの接続状態を判別する判別手段と、上記判別手段が判別した接続相手に応じて、上記禁止モードまたは上記許可モードを設定する際の手順と表示とを変更する変更手段とを有する。【選択図】図３
2008027278.tif 000002
【特許請求の範囲】
【請求項１】
画像と文字とを表示可能な表示部と；
設定を行う操作部と；
書込みが可能な記憶媒体に接続する接続手段と；
上記記憶媒体にデータを書込むデータ書込み手段と；
上記記憶媒体へデータを書込むことを禁止する禁止モード、または記憶媒体へデータを書込むことを許可する許可モードを設定するモード設定手段と；
電源としてバッテリと外部電源とに対応可能な電源手段と；
上記バッテリ、上記外部電源のうちの少なくとも１つとの接続状態を判別する判別手段と；
上記判別手段が判別した接続相手に応じて、上記禁止モードまたは上記許可モードを設定する際の手順と表示とを変更する変更手段と；
を有することを特徴とする情報処理装置。
【請求項２】
請求項１において、
上記データ書込み手段は、
外部装置と接続する外部装置接続手段を介して、上記外部装置に格納されているデータを上記記憶媒体に書込む第１のデータ書込み手段と；
上記情報処理装置内に設けられている内部記憶媒体に記憶されているデータを上記記憶媒体に書込む第２のデータ書込み手段と；
上記記憶媒体に記憶されているデータ上記内部記憶媒体に書込む第３のデータ書込み手段と；
を有する手段であることを特徴とする情報処理装置。
【請求項３】
請求項２において、
上記判別手段が上記バッテリのみに接続されていると判別した場合、上記禁止モードから上記許可モードへ設定を変更するに際して、上記許可モードに変更不可能である旨を示すエラーを上記表示部へ表示し、しかも、上記許可モードへの設定変更を阻止することを特徴とする情報処理装置。
【請求項４】
請求項２において、
上記判別手段が上記バッテリと上記外部電源とに接続されていると判別した場合、上記禁止モードから上記許可モードへ設定を変更するに際して、上記記憶媒体へのデータ書込みを上記外部電源で行うことを推奨する警告を上記表示部に表示し、しかも、上記警告を表示した後は、上記許可モードへの設定変更を実行することを特徴とする情報処理装置。
【請求項５】
請求項２乃至請求項４のいずれか１項において、
上記判別手段が上記外部電源のみに接続されていると判別した場合、上記禁止モードから上記許可モードへ設定を変更するに際して、上記警告、上記エラーを表示せずに、上記許可モードへの設定を変更することを特徴とする情報処理装置。
【請求項６】
請求項２において、
電源の状態を電源ＯＮ状態または電源ＯＦＦ状態に変更する電源ＯＮ／ＯＦＦ手段と；
上記電源ＯＮ／ＯＦＦ手段が電源ＯＦＦ状態にする際に、上記設定モードを記憶する設定モード記憶手段と；
を有し、上記電源ＯＦＦ状態から上記電源ＯＮ状態に変更する際に、上記設定モード記憶手段に記憶されている設定モードに応じて、設定モードを変更し、上記電源ＯＮ状態にすることを特徴とする情報処理装置。
【請求項７】
請求項６において、
上記設定モード記憶手段に記憶されている上記設定モードが上記許可モードであれば、上記電源ＯＮ状態にする際に、上記設定モードを上記禁止モードに変更し、上記電源ＯＮ状態にすることを特徴とする情報処理装置。
【請求項８】
請求項６において、
上記設定モード記憶手段に記憶されている上記設定モードが上記禁止モードであれば、上記電源ＯＮ状態にする際に、上記設定モードを変更せずに上記電源ＯＮ状態にすることを特徴とする情報処理装置。
【請求項９】
請求項６において、
上記電源ＯＮ状態にする際に、上記バッテリと上記外部電源との電源接続状態に応じて、上記設定モードと表示とを変更する手段を有することを特徴とする情報処理装置。
【請求項１０】
請求項９において、
上記電源ＯＮ状態にする際に、上記判別手段が上記バッテリにのみ接続されていると判別し、しかも、上記設定モード記憶手段に記憶されている上記設定モードが許可モードであれば、上記禁止モードに変更する旨を示す変更警告画面を上記表示部に表示し、上記許可モードから上記禁止モードへ変更することを特徴とする情報処理装置。
【請求項１１】
請求項９において、
上記電源ＯＮ状態にする際に、上記判別手段が上記バッテリと上記外部電源とに接続されていると判別し、しかも、上記設定モード記憶手段に記憶されている上記設定モードが上記許可モードであれば、上記記憶媒体へのデータ書込みを上記外部電源で行うことを推奨する警告を上記表示部に表示し、上記許可モードを変更しないことを特徴とする情報処理装置。
【請求項１２】
請求項９乃至請求項１１のいずれか１項において、
上記電源ＯＮ状態にする際に、上記判別手段が上記外部電源のみに接続されていると判別し、しかも、上記設定モード記憶手段に記憶されている上記設定モードが上記許可モードであれば、上記警告、上記変更警告を表示せずに、上記許可モードへの設定変更を可能とすることを特徴とする情報処理装置。
【請求項１３】
請求項２において、
上記外部装置接続手段を介して、上記外部装置と接続する際に、上記バッテリ、上記外部電源との電源接続状態に応じて、上記設定モードと表示とを変更する手段を有することを特徴とする情報処理装置。
【請求項１４】
請求項１３において、
上記外部装置接続手段を介して、上記外部装置と接続する際に、上記判別手段が上記バッテリのみに接続されていると判別し、しかも、上記設定モード記憶手段に記憶されている上記設定モードが許可モードであれば、上記禁止モードに変更する旨を示す変更警告画面を上記表示部に表示し、上記許可モードから上記禁止モードへ変更することを特徴とする情報処理装置。
【請求項１５】
請求項１３において、
上記外部装置接続手段を介して、上記外部装置と接続する際に、上記判別手段が上記バッテリと上記外部電源とに接続されていると判別し、しかも、上記設定モード記憶手段に記憶されている上記設定モードが上記許可モードであれば、上記記憶媒体へのデータ書込みを上記外部電源で行うことを推奨する警告を上記表示部に表示し、上記許可モードを変更しないことを特徴とする情報処理装置。
【請求項１６】
請求項１３乃至請求項１５のいずれか１項において、
上記外部装置接続手段を介して、上記外部装置と接続する際に、上記判別手段が上記外部電源のみに接続されていると判別し、しかも、上記設定モード記憶手段に記憶されている上記設定モードが上記許可モードであれば、上記警告、上記変更警告を表示せずに、上記許可モードへの設定変更を可能とすることを特徴とする情報処理装置。
【請求項１７】
請求項２において、
上記接続手段を介して、上記記憶媒体と接続する際に、上記バッテリ、上記外部電源の接続状態に応じて、上記設定モードと表示とを変更する手段を有することを特徴とする情報処理装置。
【請求項１８】
請求項１７において、
上記接続手段を介して、上記記憶媒体と接続する際に、上記判別手段が上記バッテリのみに接続されていると判別し、しかも上記設定モード記憶手段に記憶されている上記設定モードが許可モードであれば、上記禁止モードに変更する旨を示す変更警告画面を上記表示部に表示し、上記許可モードから上記禁止モードへ変更することを特徴とする情報処理装置。
【請求項１９】
請求項１７において、
上記接続手段を介して、上記記憶媒体と接続する際に、上記判別手段が上記バッテリと上記外部電源とに接続されていると判別し、しかも、上記設定モード記憶手段に記憶されている上記設定モードが上記許可モードであれば、上記記憶媒体へのデータ書込みを上記外部電源で行うことを推奨する警告を上記表示部に表示し、上記許可モードを変更しないことを特徴とする情報処理装置。
【請求項２０】
書込みが可能な記憶媒体にデータを書込むデータ書込み工程と；
上記記憶媒体へデータを書込むことを禁止する禁止モード、または記憶媒体へデータを書込むことを許可する許可モードを設定するモード設定工程と；
バッテリ、外部電源のうちの少なくとも１つとの接続状態を判別する判別工程と；
上記判別工程で判別した接続相手に応じて、上記禁止モードまたは上記許可モードを設定する際の手順と表示とを変更する変更工程と；
を有することを特徴とする情報処理装置の制御方法。
【発明の詳細な説明】
【技術分野】
【０００１】
本発明は、記憶媒体へのデータ書込み状態を設定する際に、バッテリと外部電源との電源接続状態に応じて、書込み状態の設定方法を変更することが可能な情報処理装置および情報処理装置の制御方法に関する。
【背景技術】
【０００２】
近年、メモリカード等の記憶媒体にデジタルカメラ等で撮影した画像を記憶し、上記メモリカードを装置本体に直接装着し、記憶されている画像を読込み、印刷する装置が知られている。このような装置の中には、外出先等で印刷を可能にするための供給電源として、ＡＣ電源のみでなくバッテリで動作させることが可能な装置が増えている。
【０００３】
また、この装置とパーソナルコンピュータ（以下、ＰＣ）とを接続し、その装着されているメモリカードのデータの読み取りや書込みを可能にした装置も知られている。
【０００４】
しかし、この装置が電源供給源としてバッテリを用い、ＰＣと接続し、カード書込みしているときに、バッテリ残量が無くなると、カード書込み処理が中断するばかりでなく、カードデータ自体が消失される危険性がある。
【０００５】
このような危険を回避するためには、書込み処理中に供給電源が遮断されても、書換えメモリ領域をダイナミックに変更することによって、アドレスの消失や書込み非対象の記憶情報の不所望な消失を防ぐ装置が知られている（たとえば、特許文献１参照。）。
【０００６】
また、メモリカード内に書込み禁止情報エリアを設け、書込み禁止を示すデータが設定されていれば、メモリカードへの書込みを行わないことによって、カードデータの消失を防ぐ装置が知られている（たとえば、特許文献２参照。）。
【特許文献１】特開２００４−１２７１８５号公報
【特許文献２】特開平５−１７３８８８号公報
【発明の開示】
【発明が解決しようとする課題】
【０００７】
しかし、従来のように、メモリ領域のアドレス毎に消去許可、または消去不可を設定して消去不可のカードデータの消失を防ぐ方法では、バッテリの電源遮断時に消去許可のカードデータが消失するので、完全に消失を防ぐ対応とはいえないという問題がある。
【０００８】
また、カード内に書込み禁止情報エリアを設け、禁止の場合に書込みを行わない処理をする従来例では、カード毎に書込み禁止を設定する操作が必要である。この場合、書込み禁止情報をカード内に設定する処理中に、バッテリの電源が無くなることも考えられる。
【０００９】
一方、ＰＣ等の外部装置からメモリカードへの書込み処理を行えるような装置が所望され、書込み処理が中断される可能性が低いＡＣ電源が接続されている場合、書込み処理を行えるようにする必要がある。
【００１０】
さらに、バッテリで動作中の装置において、カード書込み処理中に電源容量が無くなり、処理が中断し、カードデータが消失される危険を回避する処理を、ユーザに実行させる必要がある。
【００１１】
本発明は、記憶媒体への書込みに関する設定を行う際に、どのような電源が接続されていても、ユーザがカードデータ消失の危険を回避することができる情報処理装置を提供することを目的とする。
【課題を解決するための手段】
【００１２】
本発明は、画像と文字とを表示可能な表示部と、設定を行う操作部と、書込みが可能な記憶媒体に接続する接続手段と、上記記憶媒体にデータを書込むデータ書込み手段とを有する。また、本発明は、上記記憶媒体へデータを書込むことを禁止する禁止モード、または記憶媒体へデータを書込むことを許可する許可モードを設定するモード設定手段と、電源としてバッテリと外部電源とに対応可能な電源手段とを有する。さらに、本発明は、上記バッテリ、上記外部電源のうちの少なくとも１つとの接続状態を判別する判別手段とを有する。そして、本発明は、上記判別手段が判別した接続相手に応じて、上記禁止モードまたは上記許可モードを設定する際の手順と表示とを変更する変更手段を有する。
【発明の効果】
【００１３】
本発明によれば、記憶媒体への書込みに関する設定を行う際に、どのような電源が接続されていても、ユーザがカードデータ消失の危険を回避することができるという効果を奏する。
【発明を実施するための最良の形態】
【００１４】
発明を実施するための最良の形態は、次の実施例である。
【実施例１】
【００１５】
図１は、本発明の実施例１であるＭＦＰ１００の構成を示すブロック図である。
【００１６】
ＭＦＰ１００は、スキャニング機能、プリンティング機能等の複数の機能を併せ持つ多機能周辺機器（Ｍｕｌｔｉ  Ｆｕｎｃｔｉｏｎ  Ｐｅｒｉｐｈｅｒａｌ）である。
【００１７】
ＭＦＰ１００は、ＣＰＵ１と、ＲＯＭ２と、ＲＡＭ３と、表示部４と、読取部５と、操作部６と、印字部７と、カード接続部（カード装着部）９と、ＰＣ接続部１１と、判別部（電源接続状態判別部）１２と、充電済みのバッテリ１４とを有する。
【００１８】
さらに、ＭＦＰ１００は、メモリカード８と、ＰＣ１０と、ＡＣ電源１３とに接続される。
【００１９】
ＣＰＵ１は、演算処理の中枢部分であり、バス１５を介して、ＭＦＰ１００の各部を制御するシステム制御部である。
【００２０】
ＲＯＭ２は、ＭＦＰ１００のシステム制御プログラムを格納するメモリであり、また、ユーザが登録した設定値を格納するメモリである。ＣＰＵ１は、ＲＯＭ２に格納されている制御プログラムに基づいて、ＭＦＰ１００に関する各種の動作を実行する。この際、ＣＰＵ１は、ＲＡＭ３に格納されている制御変数や現在の設定値を利用して演算処理する。
【００２１】
表示部４は、ユーザが設定する際の設定値、操作方法、装置の状態等の画面を表示する。読取部５は、スキャナ台等に置かれている画像データを読み取る。操作部６は、表示部４に表示されている画面に従い、ユーザが各機能を実現するための操作を行うキーを有する。
【００２２】
印字部７は、読取部５が読み取った画像データについて、画像処理部が処理した画像データを、記録紙等に印字して出力処理を行う。
【００２３】
メモリカード８は、画像データ等の記憶媒体であり、カード接続部９を介して、ＭＦＰ１００に接続することができる。メモリカード８は、ＭＦＰ１００に接続されたことを検知すると、ＭＦＰ１００とメモリカード８との間で、画像データ等のアクセスが可能である。カード接続部９は、カードスロットやＵＳＢインタフェース等であるが、これら以外のものを使用するようにしてもよい。
【００２４】
ＰＣ接続部１１は、ＰＣ１０を接続するためのインタフェースであり、ＰＣ１０と接続することができ、接続されたことを検知すると、ＰＣ１０との間で、画像データ、各種設定データを送受信することができる。ＰＣ接続部１１は、ＵＳＢインタフェースやＬＡＮ等であるが、これら以外のものを使用するようにしてもよい。
【００２５】
ＭＦＰ１００は、電源供給源である外部電源（以下、「ＡＣ電源１３」という）と、充電済みのバッテリ１４との電力を利用することによって、動作が可能である。このＡＣ電源は、たとえば、ＡＣ／ＤＣコンバータを備えた、スイッチング電源である。この際に、判別部１２が、ＡＣ電源接続であるのか、バッテリ接続であるのか、またはＡＣ電源とバッテリとの両方が接続されているのかを判別し、接続されている電源供給源の電力に応じて、ＭＦＰ１００を動作させる。
【００２６】
図２は、実施例１における表示部４、操作部６の外観を示す概略図である。
【００２７】
表示部４は、ユーザが所望する機能を実現するために必要な機能内容、操作方法、選択項目等の画面を表示する。
【００２８】
操作部６は、スタートキー２１と、詳細設定を行う設定キー２２と、上下左右キー２３と、処理の中止等を行うストップキー２４と、電源キー２５と、選択肢等を決定するＯＫキー２６とを有する。また、操作部６は、コピー、スキャン、メモリカード８のモードを選択するモード選択キー２７〜２９を有する。
【００２９】
ＭＦＰ１００において、バッテリ１４のみに接続されている状態、ＡＣ電源１３のみに接続されている状態、バッテリ１４とＡＣ電源１３とに接続されている状態であるのかを判別した結果に応じて、カード書込み設定を変更する際の手順と表示を変更する。
【００３０】
まず、バッテリ１４のみが接続されていれば、バッテリ１４の電源容量が途中で無くなると、カード書込み処理が途中で止まるだけでなく、カードに記憶されているデータを消失する可能性がある。したがって、カード書込み状態を、禁止モードから許可モードへの設定変更を禁止するエラー画面を、表示部４に表示し、設定の変更をユーザに行わせないように処理する。
【００３１】
なお、上記「禁止モード」は、記憶媒体へデータを書込むことを禁止するモードであり、上記「許可モード」は、記憶媒体へデータを書込むことを許可するモードである。
【００３２】
次に、バッテリ１４とＡＣ電源１３との両方が接続されている場合について説明する。この両方接続されている場合は、ＡＣ電源１３から電源の供給を行うことによって、カードのデータを消失する可能性が少なくなる。したがって、カード書込み状態を禁止モードから許可モードへの設定変更処理を実行することができる。しかし、設定変更後に、ユーザがＡＣ電源１３を外し、カード書込み処理を行うと、上記バッテリ１４のみに接続された場合と同じ状態になるので、カードデータが消失され得る。そこで、モードの設定を変更する際に、ＡＣ電源１３を接続して行うことを推奨する内容の警告画面を、表示部４に表示する。
【００３３】
次に、ＡＣ電源１３のみが接続されている場合について説明する。この場合、ＡＣ電源１３から電源を供給することによって、カードのデータを消失する可能性が少なくなる。したがって、通常の手順で、禁止モードから許可モードへ設定変更することができる。また、設定後に、設定が完了した旨を示す内容を、表示部４に表示し、処理を終了する。
【００３４】
以下、ＭＦＰ１００において、電源接続状態がバッテリ１４のみに接続されている状態、ＡＣ電源１３のみに接続されている状態、バッテリ１４とＡＣ電源１３との両方が接続されている状態におけるカード書込み状態を変更する動作について説明する。
【００３５】
図３は、実施例１において、ユーザがカード書込み状態の設定を行う動作を示すフローチャートである。
【００３６】
図８は、実施例１における操作画面を示す図である。
【００３７】
まず、設定キー２２を押下し、カード書込み状態を設定するための操作画面３１を表示する（Ｓ１）。次に、カード書込み状態を設定するための操作画面３１において、上下左右キー２３の下キーを押下し、書込み許可にカーソルを合わせ、ＯＫキー２６を押下する（Ｓ２）。ここで、電源接続状態がバッテリ１４のみに接続されている状態、ＡＣ電源１３のみに接続されている状態、バッテリ１４とＡＣ電源１３との両方に接続されている状態のうちで、どの状態であるかを、判別部１２が判別する（Ｓ３）。
【００３８】
ここで、Ｓ３でバッテリ１４のみが接続されていると判別されると、カード書込みをユーザに行わせないようにするために、バッテリ１４ではカード書込みを許可できない旨を示すエラー画面３２を表示し（Ｓ４）、ユーザに通知する。その後、カード書込み状態を禁止したままで、カード書込み状態を設定するための操作画面３１を再び表示する。なお、実施例１では、カード書込み状態を設定するための操作画面３１を再び表示するが、このようにする代わりに、次の画面等を表示するようにしてもよい。
【００３９】
次に、Ｓ３でバッテリ１４とＡＣ電源１３との両方が接続されていると判別された場合について説明する。この両方が接続されている場合、ＭＦＰ１００は、ＡＣ電源１３から電源の供給を受けて動作し、許可モードに設定することができる。しかし、その後に、ＡＣ電源１３が外され、バッテリ１４でＭＦＰ１００が駆動中に、カード書込み処理をユーザに行わせたくないので、ＡＣ電源１３を接続して実行する旨を示す警告画面３３を、表示部４に表示する（Ｓ６）。その後に、禁止モードから許可モードに変更し、次の画面を表示する（Ｓ７）。
【００４０】
次に、Ｓ３においてＡＣ電源１３のみが接続されていると判別された場合について説明する。ＡＣ電源１３のみが接続されている場合、通常の手順で、禁止モードから許可モードへ設定を変更し、設定完了の旨を示す画面３４を、表示部４に表示し、次の画面を表示する（Ｓ７）。また、Ｓ２で禁止モードが選択されると、カード書込み処理が禁止であるので、特別な手順や処理を行う必要がなく、設定終了を示す画面を表示する（Ｓ８）。
【００４１】
上記のように、ＭＦＰ１００の電源接続状態を判別し、カード書込み状態を設定する際に、エラー画面や警告画面を表示し、許可モードの設定を禁止することによって、ユーザが誤ってカードデータを消失する危険性を防止することができる。
【実施例２】
【００４２】
本発明の実施例２は、ＭＦＰ１００の電源ＯＦＦ状態から電源ＯＮ状態にした際に、電源ＯＦＦ前に設定したカード書込み状態を判別し、条件によっては、カード書込み状態の値を変更する実施例である。
【００４３】
なお、実施例２であるＭＦＰは、図１に示すＭＦＰ１００と同様である。
【００４４】
図４は、本発明の実施例２に係る処理を説明するフローチャートである。
【００４５】
まず、電源キー２５を押下し、ＭＦＰ１００の電源をＯＮ状態にし、起動画面（不図示）を表示する（Ｓ１１）。ここで、電源ＯＦＦ状態にする際に、ＲＯＭ２に記憶されているカード書込み状態の値を読出す（Ｓ１２）。Ｓ１２で読み出した値が、カード書込み許可状態（許可モード）であると判別されると、書込み状態の値を許可から禁止に変更し、起動画面の次の画面を表示する（Ｓ１３）。また、Ｓ１２で読み出した値がカード書込み禁止状態であると判別されると、書込み状態の値を禁止のままとし、起動画面の次の画面を表示する（Ｓ１４）。
【００４６】
上記のように、書込み状態が許可モード、または禁止モードでも、電源ＯＮ状態にする際に、必ず禁止状態にするので、ユーザが誤ってカードデータを消失する危険性を減らすことができる。
【実施例３】
【００４７】
本発明の実施例３は、ＭＦＰ１００を電源ＯＮ状態にした際に、バッテリ１４のみの接続状態、ＡＣ電源１３のみの接続状態、バッテリ１４とＡＣ電源１３との両方の接続状態を判別した結果に応じて、カード書込み状態の値と表示とを変更する実施例である。
【００４８】
なお、実施例３であるＭＦＰは、図１に示すＭＦＰ１００と同様である。
【００４９】
図５は、本発明の実施例３における動作を示すフローチャートである。
【００５０】
まず、電源ＯＦＦ状態で、電源キー２５を押下し、電源ＯＮ状態にし、起動画面（不図示）を表示する（Ｓ２１）。ここで、電源ＯＦＦ状態にする際に、ＲＯＭ２に記憶したカード書込み状態の値を読出す（Ｓ２２）。Ｓ２２において読み出した値が、カード書込み許可状態であると判別されると、電源接続状態を判別するステップＳ２３へ移行する。ここで、電源接続状態が、バッテリ１４のみに接続されている状態、ＡＣ電源１３のみに接続されている状態、バッテリ１４とＡＣ電源１３との両方に接続されている状態のうちで、どの状態であるかを、判別部１２が判別する（Ｓ２３）。
【００５１】
Ｓ２３でバッテリ１４のみが接続されていると判別されると、バッテリ１４ではカード書込みを行わせたくないので、書込み状態の値を許可モードから禁止モードに変更する変更警告画面３５を表示し（Ｓ２４）、ユーザに通知する。その後に、カード書込み状態を禁止モードに変更し、起動画面の次の画面を表示する（Ｓ２５）。
【００５２】
次に、Ｓ２３でバッテリ１４とＡＣ電源１３とが接続されていると判別された場合について説明する。この両方が接続されている状態である場合、ＭＦＰ１００は、ＡＣ電源１３から電源の供給を受けて動作し、カード書込み状態を許可モードに切り替えることと、カード書込み処理とができる。しかし、その後に、ＡＣ電源１３が外され、バッテリ１４でＭＦＰ１００が駆動中である場合には、カード書込み処理をユーザに行わせたくないので、ＡＣ電源１３を接続してカード書込み処理を実行する旨を示す警告画面３３を表示部４に表示する（Ｓ２６）。その後に、カード書込み状態を許可モードのままとし、起動画面の次の画面を表示する（Ｓ２７）。
【００５３】
また、Ｓ２３でＡＣ電源１３のみに接続されていると判別された場合について説明する。このＡＣ電源１３のみに接続されている場合、カード書込み状態の許可モードへの切り替えと、カード書込み処理とができるので、起動画面の次の画面を表示する（Ｓ２７）。
【００５４】
なお、Ｓ２２で禁止モードが選択された場合、カード書込み処理を実行できないので、特別な手順や処理を行う必要がなく、起動画面の次の画面を表示する（Ｓ２７）。
【００５５】
上記のように、ＭＦＰ１００の電源接続状態を判別し、電源ＯＮ状態にする際に、警告画面の表示や、書込み状態を許可モードから禁止モードに変更するので、電源ＯＮ後の書込み処理中にユーザが誤ってカードデータを消失する危険性を防止できる。
【実施例４】
【００５６】
実施例４は、ＭＦＰ１００にＰＣ１０を接続した際に、バッテリ１４のみに接続されている状態、ＡＣ電源１３のみに接続されている状態、バッテリ１４とＡＣ電源１３とに接続されている状態の判別結果に応じて、カード書込み状態の値と表示とを変更する。
【００５７】
なお、実施例４であるＭＦＰは、図１に示すＭＦＰ１００と同様である。
【００５８】
図６は、実施例４における動作を示すフローチャートである。
【００５９】
まず、ＭＦＰ１００にＰＣ１０を接続し、接続されたことを検知する（Ｓ３１）。ここで、ＲＯＭ２に記憶したカード書込み状態の値を読出す（Ｓ３２）。Ｓ３２で読み出した値が、カード書込み許可状態であると判別されると、電源接続状態を判別するステップＳ３３へ移行する。ここで、バッテリ１４のみに接続されている状態であるのか、ＡＣ電源１３のみに接続されている状態であるのか、バッテリ１４とＡＣ電源１３との両方に接続されている状態であるのかを、判別部１２が判別する（Ｓ３３）。
【００６０】
Ｓ３３でバッテリ１４のみに接続されている状態であると判別されると、バッテリ１４ではカード書込みを行わせたくないので、書込み状態の値を、許可モードから禁止モードに変更する変更警告画面３５を表示し（Ｓ３４）、ユーザに通知する。その後に、カード書込み状態を禁止モードに変更し、変更警告画面３５を表示する前の画面を表示する（Ｓ３５）。
【００６１】
次に、Ｓ３３でバッテリ１４とＡＣ電源１３とが接続されている状態であると判別された場合について説明する。この両方が接続されている状態である場合、ＭＦＰ１００は、ＡＣ電源１３から電源の供給を受けて動作し、カード書込み状態を許可モードに切り替えることと、カード書込み処理とができる。しかし、その後に、ＡＣ電源１３が外され、バッテリ１４でＭＦＰ１００が駆動中に、カード書込み処理をユーザに行わせたくないので、ＡＣ電源１３を接続してカード書込み処理を実行する旨を示す警告画面３３を、表示部４に表示する（Ｓ３６）。その後に、カード書込み状態を許可モードのままとし、Ｓ３７で表示されたままとなる警告画面３３は、ＯＫキー２６を押下し、警告画面３３を表示する前の画面を表示する。なお、Ｓ３７で表示される画面において、キー操作等の実施の形態は、この限りではない。
【００６２】
また、Ｓ３３でＡＣ電源１３のみに接続されている状態であると判別された場合について説明する。このＡＣ電源１３のみに接続されている場合、カード書込み状態を許可モードに切り替えることと、カード書込み処理とができるので、特別な処理、画面変更を行わない（Ｓ３７）。
【００６３】
なお、Ｓ３２で書込み禁止が選択されると、カード書込み処理を実行できないので、特別な手順や処理を行う必要がなく、ＰＣ１０を接続した際に表示されていた画面をそのまま表示する（Ｓ３７）。
【００６４】
上記のように、ＭＦＰ１００の電源接続状態を判別し、ＰＣ接続する際に、警告画面の表示や、書込み状態を許可モードから禁止モードに変更するので、ＰＣ接続後の書込み処理中にユーザが誤ってカードデータを消失する危険性を防ぐことができる。
【実施例５】
【００６５】
実施例５は、ＭＦＰ１００にメモリカード８を接続した際に、バッテリ１４のみに接続されている状態、ＡＣ電源１３のみに接続されている状態、バッテリ１４とＡＣ電源１３とに接続されている状態の判別結果に応じてカード書込み状態の値と表示とを変更する。
【００６６】
なお、実施例５であるＭＦＰは、図１に示すＭＦＰ１００と同様である。
【００６７】
図７は、実施例５の動作を示すフローチャートである。
【００６８】
まず、ＭＦＰ１００にメモリカード８を接続し、接続されたことを検知する（Ｓ４１）。ここで、ＲＯＭ２に記憶したカード書込み状態の値を読出す（Ｓ４２）。Ｓ４２で読み出した値が、カード書込み許可状態と判別されれば、電源接続状態を判別するステップＳ４３へ移行する。ここで、電源接続状態がバッテリ１４のみに接続されている状態、ＡＣ電源１３のみに接続されている状態、バッテリ１４とＡＣ電源１３との両方に接続されている状態のどれであるかを、判別部１２が判別する（Ｓ４３）。
【００６９】
Ｓ４３でバッテリ１４のみが接続されていると判別されると、バッテリ１４ではカード書込みを行わせたくないので、書込み状態の値を、許可モードから禁止モードに変更する変更警告画面３５を表示し（Ｓ４４）、ユーザに通知する。その後、カード書込み状態を禁止モードに変更し、変更警告画面３５を表示する前の画面を表示する（Ｓ４５）。
【００７０】
次に、Ｓ４３でバッテリ１４とＡＣ電源１３とが接続されていると判別された場合について説明する。この両方が接続されている場合、ＭＦＰ１００は、ＡＣ電源１３から電源の供給を受けて動作し、カード書込み状態の許可モードに切り替えることと、カード書込み処理とができる。しかし、その後に、ＡＣ電源１３が外され、バッテリ１４でＭＦＰ１００が駆動中に、カード書込み処理をユーザに行わせたくないので、カード書込み処理はＡＣ電源１３を接続して実行する旨を示す警告画面３３を表示部４に表示する（Ｓ４６）。その後に、カード書込み状態を許可モードのままとし、Ｓ４７で表示されたままとなる警告画面３３は、ＯＫキー２６を押下し、警告画面３３を表示する前の画面を表示する。なお、Ｓ４７で表示される画面において、キー操作等の実施の形態はこの限りではない。
【００７１】
また、Ｓ４３でＡＣ電源１３のみが接続されていると判別された場合について説明する。このＡＣ電源１３のみが接続されている場合、カード書込み状態の許可モードに切り替えることと、カード書込み処理とができるので、特別な処理と画面変更とを行わない（Ｓ４７）。
【００７２】
なお、Ｓ４２で書込み禁止が選択された場合、カード書込み処理を実行できないので、特別な手順、処理を行う必要がなく、メモリカード８を接続した際に表示されていた画面をそのまま表示する（Ｓ４７）。
【００７３】
上記のように、ＭＦＰ１００の電源接続状態を判別し、メモリカード８を接続する際に、警告画面の表示や書込み状態を禁止モードに変更するので、メモリカード８を接続した後の書込み処理中にユーザが誤ってカードデータを消失する危険性を防ぐことができる。
【００７４】
なお、上記実施例１〜５において、メモリカード８への書込みは、ＭＦＰ１００と接続されているＰＣ１０から画像データを書込む方法等であるが、他の書込方法を採用するようにしてもよい。たとえば、メモリカード８とは異なるＭＦＰ１００の内部または外部に装着されている記憶媒体から、メモリカード８へ書込みするようにしてもよく、逆に、メモリカード８から書込みするようにしてもよい。また、書込み可能な記憶媒体は、メモリカード８に限定されるものではなく、ハードディスク、ＣＤ−ＲＯＭ、磁気テープ、ＲＯＭ等を用いるようにしてもよい。
【００７５】
なお、上記実施例１〜５において、情報処理装置は、スキャニング機能やプリンティング機能を併せ持つＭＦＰであるが、プリンティング機能のみ等の単機能の装置であってもよい。
【図面の簡単な説明】
【００７６】
【図１】本発明の実施例１であるＭＦＰ１００の構成を示すブロック図である。
【図２】実施例１における表示部４、操作部６の外観を示す概略図である。
【図３】実施例１において、ユーザがカード書込み状態の設定を行う動作を示すフローチャートである。
【図４】実施例２に係る処理を説明するフローチャートである。
【図５】実施例３における動作を示すフローチャートである。
【図６】実施例４における動作を示すフローチャートである。
【図７】実施例５の動作を示すフローチャートである。
【図８】実施例１における操作画面を示す図である。
【符号の説明】
【００７７】
１００…ＭＦＰ、
１…ＣＰＵ、
２…ＲＯＭ、
３…ＲＡＭ、
４…表示部、
６…操作部、
８…メモリカード、
９…カード接続部、
１０…ＰＣ、
１２…判別部、
１３…ＡＣ電源、
１４…バッテリ。
【図１】
2008027278.tif 000003
【図２】
2008027278.tif 000004
【図３】
2008027278.tif 000005
【図４】
2008027278.tif 000006
【図５】
2008027278.tif 000007
【図６】
2008027278.tif 000008
【図７】
2008027278.tif 000009
【図８】
2008027278.tif 000010